(57)【要約】【課題】許可された者のみの使用を簡易に、且つ確実に行うことが可能な書類ケースを提供する。【解決手段】本発明は、書類が収納される少なくとも一つの引出部と、引出部を進退自在に収納するケース本体と、引出部を、ケース本体内の収納位置に収納された状態にロック可能なロック機構と、指紋を読み取る指紋読取部と、指紋読取部で読み取られた指紋データを登録する登録部と、指紋読取部で読み取られた指紋データを、登録部に登録された指紋データと比較する認証部と、認証部において、指紋読取部で読み取られた指紋データが、登録部に登録された指紋データと同一であると認識されたときに、ロック機構によるロック状態を解除する制御部と、を備えている。【選択図】  図３
2009019364.tif 000002
【特許請求の範囲】
【請求項１】
書類が収納される少なくとも一つの引出部と、
前記引出部を進退自在に収納するケース本体と、
前記引出部を、前記ケース本体内の収納位置に収納された状態にロック可能なロック機構と、
指紋を読み取る指紋読取部と、
前記指紋読取部で読み取られた指紋データを登録する登録部と、
前記指紋読取部で読み取られた指紋データを、前記登録部に登録された指紋データと比較する認証部と、
前記認証部において、前記指紋読取部で読み取られた指紋データが、前記登録部に登録された指紋データと同一であると認識されたときに、前記ロック機構によるロック状態を解除する制御部と、
を備えている、書類ケース。
【請求項２】
前記制御部は、前記引出部が前記ケース本体の収納位置に収納されてから所定時間経過すると、前記ロック機構により、前記引出部を前記収納位置にロックする、請求項１に記載の書類ケース。
【請求項３】
前記引出部が、前記収納位置に収納されていない状態が所定時間続いたとき、その状態を報知する報知手段をさらに備えている、請求項１または２に記載の書類ケース。
【発明の詳細な説明】
【技術分野】
【０００１】
本発明は、書類などを収納する書類ケースに関する。
【背景技術】
【０００２】
書類などを収納する書類ケースには、情報の保護の観点から鍵が設けられているものが多く、例えば、特許文献１などが挙げられる。
【特許文献１】実公昭４６−１６５９４号公報
【発明の開示】
【発明が解決しようとする課題】
【０００３】
ところで、上記のような書類ケースは、鍵が付与された者しか使用することができないが、使用が許可された者全てに鍵を付与する必要があり、鍵の準備にコストがかかるという問題がある。また、鍵の紛失や、鍵の貸し借りによって、許可された者以外の使用も可能になること考えられ、鍵の管理という面でも問題があった。したがって、特定の者にのみ書類ケースの使用を許可するためには、さらなる改善策が望まれていた。
【０００４】
本発明は、上記問題を解決するためになされたものであり、許可された者のみの使用を確実に行うことができ、管理が容易な書類ケースを提供することを目的とする。
【課題を解決するための手段】
【０００５】
本発明は、上記問題を解決するためになされたものであり、書類を収納する少なくとも一つの引出部と、前記引出部を進退自在に収納するケース本体と、前記引出部を、前記ケース本体内の収納位置に収納された状態にロック可能なロック機構と、指紋を読み取る指紋読取部と、前記指紋読取部で読み取られた指紋データを登録する登録部と、前記指紋読取部で読み取られた指紋データを、前記登録部に登録された指紋データと比較する認証部と、前記認証部において、前記指紋読取部で読み取られた指紋データが、前記登録部に登録された指紋データと同一であると認識されたときに、前記ロック機構によるロック状態を解除する制御部と、を備えている。
【０００６】
この構成によれば、指紋読取部で読み取られた指紋データが、登録部に記録されている指紋データと同一であると認識されたときに、引出部のロック状態が解除され、引出部をケース本体から取り出すことができる。これにより、書類の出し入れを行うことができる。したがって、書類ケースの使用を許可された者の指紋データを登録部に登録しておけば、それらの者のみが書類ケースを使用することができる。以上より、本発明に係る書類ケースでは、指紋認証を用いているため、鍵によって使用者を管理するのに比べ、簡易に、且つ確実に使用者を制限することができる。
【０００７】
上記書類ケースにおいては、ロックボタンなどにより、引出部を書類ケース内にロックすることができるほか、次のように構成することができる。すなわち、引出部がケース本体の収納位置に収納されてから所定時間経過すると、ロック機構により、引出部を収納位置にロックするように、制御部を構成することができる。こうすることで、引出部の使用が終わった後、自動的に引出部をケース本体内にロックすることができるため、ロックをし忘れることがなく、情報の安全性を高めることができる。
【０００８】
また、引出部は、収納位置にあるときに、ロック機構によりロックされるため、引出部を戻し忘れたり、正しい収納位置にないときには、ロックされないという問題がある。そのため、引出部が、収納位置に収納されていない状態が所定時間続いたとき、その状態を報知する報知手段をさらに備えておけば、上記のような問題を解決することができる。
【発明の効果】
【０００９】
本発明に係る書類ケースによれば、許可された者のみの使用を確実に行うことができ、さらに管理を容易に行うことができる。
【発明を実施するための最良の形態】
【００１０】
以下、本発明に係る書類ケースの一実施形態について図面を参照しつつ説明する。図１は本実施形態に係る書類ケースの斜視図である。
【００１１】
図１に示すように、本実施形態に係る書類ケースは、前面が開口した箱形のケース本体１を備えており、その中に複数の引出部２が配置されている。各引出部２は、上部が開口した矩形状に形成されており、書類を収納可能となっている。ここでは、５個の引出部２が上下方向に積み重なるように配置されており、上の３個は、高さの低い引出部２となっており、下の２個は、高さの高い引出部２となっている。そして、各引出部２は、ケース本体１に対して、前後方向にスライドすることで、出し入れが可能となっている。
【００１２】
また、この書類ケースは、引出部２がケース本体１内に完全に収納された収納位置にあるときに、引出部２をケース本体１内に固定し、引き出すことができないようにするロック機構を備えている。そして、このロック機構によるロックは、指紋認証装置によって解除されるように構成されている。以下、このロック機構及び指紋認証装置について説明する。
【００１３】
図２は図１の書類ケースの平面図である。同図に示すように、ケース本体１の上面には、指紋読取部５１、３つの登録ボタン３１、及び確認ランプ３２からなる操作パネルが配置されている。指紋読取部３１は、上述した指紋認証装置の一部を構成するものであり、使用者の人差し指が当接されたときに、指紋を読み取るための公知のセンサーである。後述するように、指紋データが認証され、ロック機構が解除されると、引出部２が引出可能となる。確認ランプ３２は、後に詳述するが、ロック機構の状態などに応じて点灯するように構成されている。また、登録ボタン３１は、指紋の登録時に使用され、このうちのいくつかのボタンを操作することで、指紋が登録されるようになっている。
【００１４】
図３は書類ケースの縦断面図である。同図に示すように、ロック機構４は、ケース本体１開口の奥端部の内壁面に配置されており、壁面に沿って延びる可動棒４１と、この可動棒４１の上端に接続され、可動棒４１を上下動させる駆動部４２とを備えている。駆動部４２は、ソレノイドなどで構成され、後述するように、指紋認証が行われると、ソレノイドによって可動棒４１が上下するようになっている。可動棒４１には、長さ方向に所定間隔をおいて５個の突部４３が設けられており、これら突部４３は各引出部２に対応する位置に配置されている。そして、各引出部２の後端部には、突部４３と係合する鈎状の受け部４４が形成されており、引出部２が収納位置にあるときに可動棒４１が上下動すれば、突部４３と受け部４４とが係合するように構成されている。そして、この係合により、引出部２の前後方向へのスライドが規制されるようになっている。また、ケース本体１には、引出部２が収納位置にあるか否かを検知する引出部位置センサ（図示省略）、及び引出部２が所定時間収納位置にないときに、警告音を鳴らす公知の報知部７が設けられている。
【００１５】
次に、本実施形態に係る書類ケースの電気的構成について図４を参照しつつ説明する。図４は、指紋認証装置とロック機構との電気的構成を示すブロック図である。上述したように、この書類ケースは、指紋の認証を行う指紋認証装置５を内蔵しており、図４に示すように、この指紋認証装置５が、ＣＰＵなどで構成された制御部６に電気的に接続されている。また、この制御部６は、ロック機構４、登録ボタン３１、確認ランプ３２、引出部位置センサ、及び報知部とも電池的に接続されており、この書類ケースの電気的な制御を行っている。
【００１６】
指紋認証装置５は、上述した指紋読取部５１と、指紋データの認識と比較を行う認証部５２と、指紋データを記録する登録部５３とから構成されている。より詳細に説明すると、認証部５２は、２つの機能を有し、指紋読取部５１で読み取られた指紋データを認識し、登録部５３に送信する役割と、指紋読取部５１で読み取られた指紋データと登録部５３に記録された複数の指紋データとを比較し、その結果を制御部６に送信する役割とを果たす。制御部６は、指紋認証装置５からの信号に基づき、ロック機構４の駆動部４２を駆動する。また、引出部位置センサが、引出部２が収納位置にあるか否かを検知し、所定時間、収納位置になければ、制御部６により報知部７が駆動され、警告音が鳴るようになっている。一方、引出部２が所定時間、収納位置にある場合には、制御部６によりロック機構４が駆動され、引出部２がロックされるようになっている。
【００１７】
次に、上記のように構成された書類ケースの使用方法について図５を参照しつつ説明する。図５は、使用方法のフローチャートである。上述したように、本実施形態に係る書類ケースは、指紋データが登録された者のみが使用可能となっており、使用を許可された者は、指紋データの登録を予め行っておく必要がある。そこで、まず、指紋データの登録について説明する。最初に、指紋を登録する者は、登録ボタン３１の内、いくつかのボタンを同時に長押しする。この状態で、指紋読取部５１に右手の人差し指を当接すると、指紋読取部５１から読み込まれた指紋は、認証部５２によって指紋データとして認証され、登録部５３に記録される。このような作業を書類ケースの使用を許可された人ごとに行う。但し、いずれのボタンを押して指紋の登録を行うかは、機密事項であるので、十分に管理する必要がある。
【００１８】
こうして、指紋データが登録された後は、次のように書類ケースを使用する。ここでは初期状態で、引出部２がロックされているものとし、このとき、確認ランプ３２は赤色に点灯している。図５に示すように、まず、書類ケースを使用する者が、指紋読取部５１に右手の人差し指を当接すると、指紋データが読み込まれ認証部５２に送信される（Ｓ１）。認証部５２では、読み込まれた指紋データと、登録部５３に記録された指紋データとを比較し（Ｓ２）、データが一致した場合には（Ｓ３のＹＥＳ）、制御部６に信号を送信する。これに基づき、制御部６は、ロック機構４を駆動し、可動棒４１を下降させる。可動棒４１が下降すると、各突部４３と受け部４４との係合状態が解除されるため、すべての引出部２がスライド可能となる（Ｓ５）。この状態で、使用者は引出部２をスライドさせ、書類の出し入れを行う。また、ロック解除により確認ランプ３２は、緑色に点灯する。
【００１９】
そして、書類の出し入れが終われば、引出部２は、使用者により収納位置まで戻されるのであるが、仮に収納位置まできちんと戻されていない場合には、突部４３と受け部４４とが係合できないことになる。そこで、引出部２が収納位置から引き出されると、時間がカウントされ始め、所定時間収納位置に戻っていないことを検知すれば（Ｓ５のＹＥＳ）、報知部７により警告音が鳴るとともに（Ｓ６）、確認ランプ３２も緑色が点滅する（Ｓ６）。この警告音により使用者が気付いて引出部２が収納位置まで戻されれば（Ｓ７のＹＥＳ）、警告音が停止する（Ｓ８）。なお、ロックが解除されたが、引出部２を収納位置から引き出さなかった場合には、この手順は行われず、以下のフローに進む（Ｓ５のＮＯ）。
【００２０】
そして、引出部２が収納位置まで戻されてから所定時間が経過すれば（Ｓ９のＹＥＳ）、或いはロック解除後、所定時間が経過すれば、引出部位置センサは、これを検知し、制御部６によりロック機構４が駆動される。すなわち、駆動部４２が可動棒４１を引き上げ、突部４３と受け部４４とを係合させる。これにより、すべての引出部２がロックされ、引き出すことができなくなる（Ｓ１０）。こうして、許可されていない者による書類ケースの使用が防止される。なお、ロック解除後、引出部２を引き出さない場合について付言すると、ロックが解除されると、制御部６による時間のカウントが始まり、引出部２を引き出さないまま、所定時間が経過すると上述したようになる。一方、ロック解除後、引出部２を引き出せば、時間のカウントが解除され、引出部２が引き出された後のフローに進む（Ｓ５以降）。
【００２１】
以上のように、本実施形態によれば、指紋読取部５１で読み取られた指紋データが、登録部５３に記録されている指紋データと同一であると認識されたときに、引出部２のロック状態が解除され、引出部２をケース本体１から取り出すことができる。これにより、書類の出し入れを行うことができる。したがって、書類ケースの使用を許可された者の指紋データを登録部５３に登録しておけば、それらの者のみが書類ケースを使用することができる。以上より、この書類ケースでは、指紋認証を用いているため、鍵によって使用者を管理するのに比べ、簡易に、且つ確実に使用者を制限することができる。
【００２２】
以上、本発明の一実施形態について説明したが、本発明は上記実施形態に限定されるものではなく、その趣旨を逸脱しない限りにおいて種々の変更が可能である。例えば、上記実施形態では、複数の登録ボタン３１を押しながら、指紋データの登録を行っていたが、これに限定されるものではなく、種々の操作方法によって指紋データの登録を行うことができる。或いは、別の管理機器などで予め指紋データが登録されたフラッシュメモリ等の記録媒体を書類ケースに取り付けることで、登録を行うことができる。この場合、記録媒体が登録部５３となる。
【００２３】
また、ケース本体１及び引出部２の構成は、上述したもの以外に種々の構成が可能であり、例えば、引出部２の数、大きさ、形状は上記したもの以外でもよく、書類が収納可能であればよい。また、ケース本体１については、例えば、机の上に配置可能な小型のものから、床に直接配置する大型の、いわゆるフロアケースまで種々のものを使用可能である。床に直接設置する大型タイプでは、引出部を覆うような扉を設けておき、この扉のロック及びロック解除を、上述した指紋認証装置で行うことができる。また、ロック機構４の構造は、上述したものに限定されず、公知の種々の構成が可能であり、例えば、引出部２が一つの場合には、短い可動棒を引出部に抜き差しすることで、ロックと解除を行うことができる。また、配置位置も上述したものに限られず、例えば、可動棒、凸部、受け部をケース本体の開口周縁付近に設けることもできる。
【００２４】
指紋読取部の位置は、上記実施形態では、ケース本体の上面に配置していたが、これ以外にもケース本体前面、側面など種々の位置に配置できる。また、上述したフロアケースの場合には、扉の取っ手付近に配置することができる。
【００２５】
また、ロックの方式について、上記実施形態では、引出部が収納位置に戻ってから所定時間経過後に、ロック機構によるロックが行われるが、それ以外にも引出部２が収納位置に戻ったと同時にロックが行われるようにしてもよいし、この方式と上記実施形態との併用でも構わない。さらに、電源については、書類ケースを電池で駆動してもよいし、電源コンセントに接続することで使用することできる。
【００２６】
また、ロックボタンを別途設け、これを押すことで、ロックを行うことを併用することもできる。この場合には、例えば、図６に示すような操作になる。図６に示すように、指紋の認証が行われ（Ｓ１１）、引出部２のロックが解除された後（Ｓ４）、ロックボタンが押されると（Ｓ１２のＹＥＳ）、引出部２が収納位置にあるか否かが確認され、収納位置にあれば（Ｓ１３のＹＥＳ）、引出部２がロックされる（Ｓ１０）。一方、引出部２が収納位置になければ（Ｓ１３のＮＯ）、警告音が発せられ（Ｓ１４）、これに気付いて使用者が引出部２を収納位置に戻せば（Ｓ１５のＹＥＳ）、警告音が停止し（Ｓ１６）、引出部２がロックされる（Ｓ１０）。なお、ロックボタンが押されない場合には（Ｓ１２のＮＯ）、上述した図５と同様のフローになる。
【００２７】
また、引出部の位置にかかわらず、ロックの解除から時間のカウントを開始し、所定時間経過後に、ロックを行うようにすることもできる。この場合のフローは、図７に示した通りであるが、ロック解除から所定時間経過後に、引出部２のロックを行うような動作が行われるのであるが、ロック解除からの時間経過の確認ステップ（Ｓ１７）以外は、図６に示したものと同様の手順が取られる。
【図面の簡単な説明】
【００２８】
【図１】本発明の一実施形態に係る書類ケースの斜視図である。
【図２】図１の書類ケース上面の操作パネルを示した平面図である。
【図３】図１の書類ケースの縦断面図である。
【図４】図１の書類ケースの電気的構成を示すブロック図である。
【図５】図１の書類ケースの操作を示すフローチャートである。
【図６】図１の書類ケースの他の操作を示すフローチャートである。
【図７】図１の書類ケースの他の操作を示すフローチャートである。
【符号の説明】
【００２９】
１  ケース本体
２  引出部
４  ロック機構
５１  指紋読取部
５２  認証部
５３  登録部
６    制御部
【図１】
2009019364.tif 000003
【図２】
2009019364.tif 000004
【図３】
2009019364.tif 000005
【図４】
2009019364.tif 000006
【図５】
2009019364.tif 000007
【図６】
2009019364.tif 000008
【図７】
2009019364.tif 000009